(57)【特許請求の範囲】
【請求項１】
照明光を導光するライトガイドファイバを有する内視鏡本体を有し、前記ライトガイドファイバの光入射端部に、少なくとも照明ランプユニットを着脱自在に接続した内視鏡であって、
前記照明ランプユニットは、照明ランプを保持するランプホルダと、前記照明ランプに供給される電源の供給口部である一対の共通コンセント部とを備えるとともに、当該照明ランプに供給される電源となる少なくともバッテリユニットを含む複数種の電源ユニットが着脱自在であり、
前記複数種の電源ユニットはいずれも前記一対の共通コンセント部と噛合接続可能となる一対の電極プラグ部を有し、
前記照明ランプユニットに前記複数種の電源ユニットが装着される際には、当該照明ランプユニットにおける前記一対の共通コンセントと当該複数種の電源ユニットにおける前記一対の電極プラグ部とが互いに噛合接続することにより、当該電源ユニットからの電源が照明ランプに供給されることを特徴とする内視鏡。
【発明の詳細な説明】
【０００１】
【発明の属する技術分野】
本発明は複数種の電源供給手段を有する内視鏡に関する。
【０００２】
【従来の技術】
医療用分野及び工業用分野で広く用いられるようになった内視鏡は、診断或いは検査対象部位は生体、プラント等の内部であるので、照明する手段が必要であり、一般的に内視鏡外部の光源装置内のランプからの照明光を内視鏡に設けたライトガイドファイバで導光し、この導光した照明光を挿入部の先端側の照明窓から出射し、診断或いは検査対象部位を照明する構成となっている。
【０００３】
また、光源装置は一般的には商用電源から供給される電源を利用して光源装置内部のランプを発光させる。これに対し、例えば実開昭５６ー５９００５号公報ではバッテリを内蔵した小型の光源装置を硬性内視鏡の手元操作部に直接取付けるようにした硬性内視鏡を開示している。
このようにバッテリを用いたバッテリ駆動式光源を採用した内視鏡は携帯性に優れている。
【０００４】
【発明が解決しようとする課題】
しかしながら、実開昭５６ー５９００５号公報は電源に蓄電池を使用しているが、検査中に蓄電池の起電力が無くなった場合は、充電された蓄電池に交換しないとすぐには、ランプを点灯させる手段がなくなってしまうために、検査をその時点で中止せざるを得ない状況になってしまうことがあった。
【０００５】
このように、充電式のバッテリ駆動式光源を採用した内視鏡ではバッテリの起電力が無くなった時には長時間かけて充電しなければならず、検査をすぐに再開する事ができない。従って、この様な事態に備えて、あらかじめ充電しておいた同じバッテリを予備に用意しておく必要があった。
【０００６】
また、この従来例では蓄電池の交換をすぐにはできない構造になっており、交換に手間がかかる欠点があった。また、充電式でない乾電池で光源を駆動する光源を採用した内視鏡では、一般的に充電式の場合よりも容量が小さいため、検査時間が短い場合には便利であるが、検査時間が長くなる場合には同じ乾電池を多数用意し、かつ頻繁に交換することが必要になってしまうという欠点がある。
【０００７】
このように従来例では、光源を駆動する電源が、一種類のみであるので、充電式電池、乾電池、既設のコンセントの中からその環境、時々によって選択して使用するようなことが出来なかった。
【０００８】
本発明は上述した点に鑑みてなされたもので、内視鏡検査の環境等に応じて、駆動電源を選択でき、かつバッテリを採用した場合にその起電力が無くなっても、すぐに別の電源を用いて検査を再開できる操作性の良い内視鏡を提供することを目的とする。
【０００９】
【課題を解決するための手段】
本発明の内視鏡は、照明光を導光するライトガイドファイバを有する内視鏡本体を有し、前記ライトガイドファイバの光入射端部に、少なくとも照明ランプユニットを着脱自在に接続した内視鏡であって、前記照明ランプユニットは、照明ランプを保持するランプホルダと、前記照明ランプに供給される電源の供給口部である一対の共通コンセント部とを備えるとともに、当該照明ランプに供給される電源となる少なくともバッテリユニットを含む複数種の電源ユニットが着脱自在であり、前記複数種の電源ユニットはいずれも前記一対の共通コンセント部と噛合接続可能となる一対の電極プラグ部を有し、前記照明ランプユニットに前記複数種の電源ユニットが装着される際には、当該照明ランプユニットにおける前記一対の共通コンセントと当該複数種の電源ユニットにおける前記一対の電極プラグ部とが互いに噛合接続することにより、当該電源ユニットからの電源が照明ランプに供給されることを特徴とする。
【００１０】
【発明の実施の形態】
（第１の実施の形態）
図１ないし図６は本発明の第１の実施の形態に係り、図１は第１の実施の形態の内視鏡の主要な構成を示し、図２は種々の電源供給手段で使用可能な第１の実施の形態の内視鏡の全体構成を示し、図３は図１のバッテリ型光源の構造を示し、図４は図３のバッテリ型光源におけるランプユニットに着脱自在のランプホルダ２４の機能を示し、図５はランプホルダの機能を展開図で示し、図６は防水アダプタを装着することによって、ランプユニットは消毒等が可能な構造であることを示す説明図である。
【００１１】
本実施の形態の内視鏡１は内視鏡本体２と、この内視鏡本体２に着脱自在で接続されるランプユニット３及びこのランプユニット３に着脱自在で乾電池を内蔵した乾電池式或いは非充電式バッテリユニット４からなるバッテリ型光源５と、ランプユニット３の接続と選択して（前記内視鏡本体２に着脱自在で）接続されるライトガイドケーブル６とを有している。
【００１２】
この内視鏡本体２は、細長の挿入部７と、この挿入部７の後端に形成された操作部８と、この操作部８の後端に形成された接眼部９と、操作部８から突設されたライトガイド口金１０とからなり、このライトガイド口金１０の端部にランプユニット３の接続口金１１を着脱自在で接続できる。
【００１３】
挿入部７は、その先端に形成された先端部１２と、この先端部１２の後端に形成され、湾曲自在の湾曲部１３と、湾曲部１３の後端から操作部８の前端まで形成された可撓性を有する可撓部１４とからなる。
【００１４】
操作部８には術者が把持する把持部１５の後端側に湾曲操作レバー１６が設けてあり、この湾曲操作レバー１６を回動する操作することにより湾曲部１３を湾曲することができる。また、この操作部８には吸引を行う吸引ボタン１７と、この吸引ボタン１７の基端付近から突出するように吸引口金１８とが設けてあり、吸引口金１８は図示しないチューブを介して吸引装置に接続され、吸引ボタン１７を操作することにより吸引チャンネルに連通する吸引口金１８を介して体液などを吸引することができる。
【００１５】
また、操作部８の前端側には鉗子などの処置具を挿入する鉗子挿入口１９が形成され、この鉗子挿入口１９は内部で吸引チャンネルに連通している。この鉗子挿入口１９には通常鉗子栓２０が取付けられている。
【００１６】
上記挿入部７内には照明光を導光（伝送）するライトガイドファイバが挿通され、このライトガイドファイバは操作部８を経てその後端がライトガイド口金１０内で固定され、図１に示すようにこのライトガイド口金１０にランプユニット３に接続することにより、ランプユニット３内部に装着されるランプ４１を発光させた場合には、このランプ４１からの照明光がライトガイド口金１０のライトガイドファイバの光入射端面に供給される。供給された照明光はライトガイドファイバにより導光され、先端部１２の照明窓に固定された先端面、つまり光出射端面から前方に出射され、患部などの被写体を照明する。
【００１７】
照明された被写体は照明窓に隣接する観察窓に取り付けた対物レンズによりその結像位置に光学像を結ぶ。この結像位置にはイメージガイドファイバの先端面が配置され、結像された光学像を接眼部９側の端面に伝送する。伝送された光学像は接眼部９の接眼窓に取り付けられた接眼レンズを介して拡大観察することができる。
【００１８】
また、このライトガイド口金１０の途中には通気口金２１が突設されており、この通気口金２１から内視鏡本体２内部に空気を送ることができ、内視鏡本体２の水漏れの検査を行うことができるようにしている。
【００１９】
図１に示すように上記ライトガイド口金１０にはライトガイドファイバが挿通されたライトガイドケーブル６の前端の接続口金２２を接続することができる。そして、このライトガイドケーブル６の後端のライトガイドコネクタ２３を、図示しない既存の光源装置に接続することによって、既存の光源装置内部のランプから照明光が供給され、ライトガイドケーブル６内のライトガイドファイバを介して導光し、内視鏡本体２側のライトガイドファイバに導光した照明光を供給できるようにしている。
【００２０】
ライトガイド口金１０に接続可能な接続口金１１を設けたランプユニット３はほぼ円柱形状で、その上部側側面には貫通孔を設けて一方の開口端側には接続口金１１を固定し、他方の開口端からランプ４１を取り付けたランプホルダ２４を装着できるようにしている。
【００２１】
また、このランプユニット３の底面には図１に示す非充電式バッテリユニット４を着脱自在で装着できる他に、図２に示すように（内部に充電式バッテリを内蔵した）充電式バッテリユニット２６、プラグユニット２７に給電線を介して充電式バッテリ２８が接続されて構成された充電式バッテリユニット２９、プラグユニット２７に給電線を介してＡＣアダプタ本体３０が接続されて構成されたＡＣアダプタユニット３１、プラグユニット２７に給電線を介して自動車電源用アダプタ３２が接続され、さらにこの自動車電源用アダプタ３２に自動車のバッテリに接続する、例えばシガレットライタ用接続部３３を設けた自動車電源用アダプタユニット３４等を選択的に取り付けることができるようにしている。
【００２２】
つまり、複数種類の電源から任意の電源を選択してランプユニット３に接続して、その光源としてのランプ４１を発光させる電源供給手段を形成し、内視鏡検査を行う環境などに応じてそれに適した電源を使用したり、術者の好みなどに応じて使い易い電源で使用したり、またバッテリを使用してその起電力が低下した場合にも別の電源に交換することにより内視鏡検査を直ちに再開あるいは続行することができるようにしている。
【００２３】
なお、充電式バッテリユニット２６或いは２９はそのプラグ部或いはプラグユニットをランプユニット３の底部のコンセント４７に接続することにより電源を供給し、その起電力が低下した場合には図示しない充電用アダプタを介して商用電源のＡＣコンセントに接続することにより充電できる。充電式バッテリユニット２６等に充電用のアダプタ機能を付加しても良い。
【００２４】
図３は図１に示したランプユニット３に非充電式バッテリユニット４を接続したバッテリ型光源５の詳しい構造を示す。
ランプユニット３はランプ４１の発熱にも耐え得る絶縁部材で形成され、このランプユニット３には貫通孔によりランプホルダ２４を収納する収納部２５が形成され、この収納部２５の一方の開口端には集光レンズ３６を水密的に取り付けたレンズ枠３７を接着剤等で水密的に固着し、このレンズ枠３７の外側に内視鏡本体２側のライトガイド口金１０に螺合により着脱自在で接続するための接続口金１１が抜け止めして回転自在に取り付けてある。
【００２５】
この収納部２５内にはレンズ枠３７で移動が規制され、後方側（図３で左方向）に伸長する付勢力が作用するようにして、弾性を有すると共に、導電性も有するコイルバネ３８が収納され、このコイルバネ３８の付勢力に抗して収納部２５の他方の開口端から挿入し、後述するように回転することにより、図３或いは図４（Ｂ）に示すようにランプホルダ２４をランプ４１を点灯する状態に設定できるようにしている。
【００２６】
つまり、このランプホルダ２４はランプ点灯スイッチの機能も兼ねるようにしている。ランプユニット３に装着されるこのランプホルダ２４内にはハロゲンランプ、キセノンランプ、真空ランプ、ＬＥＤ等のランプ４１を取付け可能であり、このランプ４１は導電性のランプ固定具４２により絶縁性のランプホルダ２４のネジ部に螺合により固定される。
【００２７】
ランプホルダ２４にはランプ４１の底部の接点に一端が接触する接点金具４３が設けられており、この接点金具４３の他端はランプホルダ２４の外周面の１箇所で露出するように固定されている。また、ランプホルダ２４の外周面に設けた周溝にＯリング４４を収納し、ランプユニット３の収納部２５内周面と密着し、その内部側を水密構造にして水密を確保している。
【００２８】
ランプユニット３には下方から収納部２５に通じる開口から突没可能に導電性の接点ピン４５が配置され、この接点ピン４５は弾性を有すると共に、導電性を有するコイルバネ４６により、その先端が開口から収納部２５内に突出するように付勢されている。
【００２９】
ランプユニット３内の底部には、導電性の部材で形成された一対のコンセント４７が固定されており、例えば図３のように乾電池４８を収納した非充電式バッテリユニット４の絶縁性部材で形成されたバッテリユニット本体４９に取り付けた導電性のプラグ５０を差し込むことにより、コンセント４７に装着して両者の導通をはかることができるようにしている。
【００３０】
一対のコンセント４７の一方はコイルバネ３８と、他方はコイルバネ４６にそれぞれ導通する構造になっている。さらに、コイルバネ３８はランプ４１の側面の接点部に導通するランプ固定具４２に導通し、コイルバネ４６は接点ピン４５とそれぞれ導通している。そして図３のように接点ピン４５が、接点金具４３と導通する状態では、乾電池４８による電源がプラグ５０を介してコンセント４７に供給され、ランプ４１を点灯できるようになっている。
【００３１】
非充電式バッテリーユニット４は、バッテリユニット本体４９を覆うケース５１を有し、Ｏリング５２によって、バッテリーユニット本体４９との水密を確保している。
【００３２】
バッテリーユニット本体４９内部には、例えば２本の乾電池４８を収納可能にし、収納された２本の乾電池４８は底部側の電極が導通金具５３によって直列に導通し、上部側の電極は一対のプラグ５０にそれぞれ導通するようになっている。
【００３３】
また、非充電式バッテリーユニット４とランプユニット３は着脱自在になっている。つまり、ランプユニット３の底部のコンセント４７におけるプラグ挿入用開口に非充電式バッテリーユニット４のプラグ５０を挿入して、押し込む操作を行うことにより、各プラグ４７はコンセント５０における狭くした狭窄部でそれぞれ接触して導通がはかられると共に、ランプユニット３の下端内周に設けた周溝に収納したＯリング５４に、バッテリユニット本体４９の上端外周が密着して水密状態で取り付けられるようにしている。
【００３４】
このようにプラグ５０側をコンセント４７に押し込む操作を行うことにより、ランプユニット３に非充電式バッテリーユニット４を装着でき、取り外す場合には逆方向に引き抜く操作を行うことによりランプユニット３から非充電式バッテリーユニット４を取り外すことができる。つまり、簡単かつ短時間にランプユニット３に非充電式バッテリーユニット４を接続、取り外しができる。他のバッテリユニット等の接続、取り外しも同様に簡単に行うことができるようにして、電源の交換が必要な場合にも、その作業を短時間に行うことができるようにしている。
【００３５】
また、バッテリーユニット本体４９内には予備ランプホルダ５５を収納可能となっており、この予備ランプホルダ５５は予備ランプホルダ固定具５６によって固定されている。
【００３６】
図４（Ａ）〜（Ｃ）は本実施の形態のランプユニット３を用いた場合のランプ点灯／消灯のスイッチ機能の説明図を示すものである。
図４（Ａ）はランプホルダ２４をランプユニット３に装着するときの状態を示す。
【００３７】
ランプホルダ２４の本体の外周面にはＣ字形状の周回溝５７が設けてあり、図４（Ａ）に示すような取付位置に対応する周回溝５７部分に隣接する本体の前端側はテーパ状に切り欠かれて、取付用のスロープ部５８が設けてある。
【００３８】
ランプホルダ２４を収納孔２５外部からランプユニット３に装着する際、図示しない指標に合わせる位置合わせを行った後、この位置合わせ状態で押し込めば、コイルバネ３８の付勢力を受けながらランプユニット３の収納部２５内に押し込むことができ、この際スロープ部５８は接点ピン４５を乗り越えた後、接点ピン４５は周回溝５７に係入して図４（Ａ）に示すように係止（装着）される。この状態では、接点金具４３は接点ピン４５と接触していないので、接点金具４３と接点ピン４５とは導通せず、ランプ４１は点灯しない。つまり、スイッチＯＦＦの状態に対応する。
【００３９】
図４（Ｂ）はランプ４１の点灯状態を示した図である。図４（Ａ）の状態で、ランプホルダ２４を９０°回転させて、図示しない点灯位置を示す指標の位置に設定することによって、図４（Ｂ）に示すように接点ピン４５と周回溝５７上に設けた接点金具４３とが接触する状態となり、ランプ４１は電源と電気的に導通し、ランプ４１は点灯する。つまり、スイッチＯＮの状態に対応する。
【００４０】
図４（Ｃ）はランプホルダ２４を取り外すときの図である。図４（Ｂ）の状態において、ランプホルダ２４を逆向きに１８０°回転すると、図４（Ｃ）に示すように周回溝５７の前側壁をテーパ状に切り欠いて形成したスロープ部５９が設けられた部分に接点ピン４５が位置し、この状態ではこのスロープ部５９により接点ピン４５の係止を解除した状態となり、コイルバネ３８の付勢力により接点ピン４５は後方側の方に押され、スロープ部５９は接点ピン４５を乗り越えてランプニット３の外に出るようになる。つまり、この状態は取外し位置位置に対応する。
【００４１】
図５はランプホルダ２４の外周面に形成したスイッチ機構を形成する周回溝の展開図を示すものである。ランプホルダ２４の取付位置と点灯位置と取外し位置での形状を示している。取付位置の状態において、ランプホルダ２４をランプユニット３に押し込むと、ランプホルダ２４は固定（装着）される。その状態から９０°回転させると点灯し、さらにその状態から１８０°回転させると取外し位置になる。
【００４２】
取付位置から取外し位置に移動するときに、簡単に取外し位置まで回転しないようストッパ６０が設けられており、取外しの場合にはコイルバネ３８の力に対抗し、ランプホルダ２４を押し込みながら回転させなければならないようになっている。従って、通常使用時、ランプ４１の点灯、消灯を行っても不用意にランプホルダ２４がランプユニット３から外れないようになっている。
【００４３】
次に本実施の形態の作用を説明する。
内視鏡検査を行う環境が例えば、既存の光源装置が設置されている場所から離れているなど、既存の光源装置を使用することが困難な場合には、内視鏡本体２とランプユニット３及びこのランプユニット３で使用されるランプ４１を駆動する非充電式バッテリユニット４、充電式バッテリユニット２６、ＡＣ電源用アダプタ３１等から１つ或いは複数携帯する。
【００４４】
実際に内視鏡検査を行う環境において、近くに商用電源のコンセントがあることが分かっている場合には、例えばＡＣ電源用アダプタ３１を携帯する。近くに商用電源のコンセントがないような場合には、検査時間等に応じて非充電式バッテリユニット４、或いは充電式バッテリユニット２６を携帯する。
【００４５】
例えば検査時間が短くて済むことが予想される場合には、内視鏡本体２のライトガイド口金１０にランプユニット３の接続口金１１を螺合により接続し、またこのランプユニット３の底部のコンセント４７に、例えば非充電式バッテリユニット４のプラグ５０を押し込む操作を行うことにより接続する。また、ランプユニット３には図４で説明したようにしてランプホルダ２４を装着する。
【００４６】
この状態で、ランプホルダ２４を９０°回転してランプ４１を点灯させ、内視鏡検査を行うことができる。検査が終了して、内視鏡本体２を検査対象部位から引き出した後、ランプホルダ２４を９０°回転してランプ４１を消灯する等すれば良い。
【００４７】
一方、検査が予想よりも長くなり、検査中に非充電式バッテリユニット４の起電力が低下してしまった場合には、この非充電式バッテリユニット４をランプユニット３から引き離す操作を行うことにより簡単かつ短時間に取り外ができ、例えば充電式バッテリユニット２６のプラグを押し込む操作を行うことにより、簡単かつ短時間にランプユニット３にこの充電式バッテリユニット２６を装着して電源の交換を行うことにより、再びランプ４１を点灯させて検査を続行することができる。
【００４８】
また、内視鏡検査を行う環境において、近くに商用電源のコンセントがあり、ＡＣ電源用アダプタ３１を使用できる場合でも、その給電線を必要としない充電式バッテリユニット２６等の採用を好むような術者は、その好みを応じて使用できる電源を選択使用できる。
【００４９】
また、既存の光源装置を使用できる環境においては、内視鏡本体２にライトガイドケーブル６を接続して、既存の光源装置を使用して検査を行うようにしても良い。
【００５０】
このように本実施の形態によれば、内視鏡検査を行う環境、術者の好み等に応じて、様々な電源を選択して使用できると共に、使用している電源の起電力が低下した場合にも、簡単かつ短時間に他の電源に交換して検査を続行することができる。
【００５１】
図６はランプユニット３を消毒液等で消毒する際の図である。図６（Ａ）に示すようにランプユニット３に対して、防水アダプタ６１の装着用プラグ６２をコンセント４７に装着することによって、防水アダプタ６１の外周面にＯリング５４が密着し、ランプユニット３の底面側を水密構造にできる。
【００５２】
また、ランプユニット３にランプホルダ２４を装着し、ランプホルダ２４及び防水アダプタ６１を装着した状態で、図６（Ｂ）に示すように消毒槽６３の消毒液６４に浸漬することにより、ランプユニット３を消毒することが可能となっている。
【００５３】
本実施の形態は以下の効果を有する。
内視鏡検査を行う環境等に応じて、光源を駆動する電源を選択して使用することができる。
また、バッテリを電源に用いて内視鏡検査を行った最中に、使用中の電源の起電力が低下或いは無くなっても、簡単に他の電源に交換して検査を中断しないで、すぐに検査を続行することができる。
【００５４】
（第２の実施の形態）
次に本発明の第２の実施の形態を説明する。第１の実施の形態ではランプホルダ２４はスイッチの機能を兼ねた一体化された構成となっていたが、本実施の形態ではランプホルダ２４′とスイッチ６６を別体にしている。
【００５５】
図７はランプユニット３′に非充電式バッテリユニット４′を装着したバッテリ型光源５′の構造を断面図で示す。また、図８に示すようにランプホルダ２４′にはランプ４１がねじ込まれて、ランプ４１の底部の接点に接点金具４３の先端が接触して固定される。この接点金具４３はランプホルダ２４′の外周面で露出し、その後方位置には水密用のＯリング４４が設けてある。
【００５６】
このランプホルダ２４′の先端側には、ランプ４１の他方の接点の機能を兼ねるネジ部に螺合するネジ部が内周面に形成され、かつ外周面にも取付用のネジ部６７が設けられている。
【００５７】
そして図７に示すようにランプユニット３′の収納部２５に固着したホルダ取付金具６８の後端のネジ部に対してランプホルダ２４′のネジ部６７をねじ込んで着脱自在で固定できるようになっている。
【００５８】
ランプユニット３′の側部にはランプ４１を点灯及び消灯するスイッチ６６の摘み６９が設けてある。この摘み６９の軸の先端には長円形の接点片７１がネジで固定されており、摘み６９を回動する操作を行うことにより、導電性の接点片７１の両側に配置した固定接点片と導通する状態と、離間した非導通の状態（図７の状態）とにでき、電源とランプ４１とを電気的に導通／遮断を自在にしている。
【００５９】
また、本実施の形態ではバッテリユニット４′のケース５１に予備ランプホルダ収納部７３を設けてあり、予備のランプホルダ７４を収納できるようになっている。
図９は第２の実施の形態におけるバッテリ型光源５′の外観図を示したものであり、矢印で示すようにランプホルダ２４′を収納部に挿入してねじ込むことによりランプユニット３′にランプホルダ２４′を装着できる。
【００６０】
また、スイッチ６６の摘み６９をＯＮが併記されている指標の位置に設定すると、スイッチＯＮにでき、かつＯＦＦが併記されている指標の位置に設定すると、スイッチＯＦＦにできる。
【００６１】
その他の構成は第１の実施の形態と同様である。
また、本実施の形態はランプホルダ２４′とスイッチ６６とが別体であることを除けば、その作用は第１の実施の形態の作用と殆ど同じとなる。
【００６２】
本実施の形態の効果は以下のようになる。
第１の実施の形態の効果に加えて第２の実施の形態ではランプホルダ２４′の固定が確実にできるため、不用意にランプホルダ２４′がランプユニット３′からとれてしまうという不具合がない。
【００６３】
（第３の実施の形態）
次に本発明の第３の実施の形態を図１０を参照して説明する。第３の実施の形態の内視鏡８１は内視鏡本体８２と、この内視鏡本体８２に着脱自在に接続されるランプユニット８３と、このランプユニット８３に着脱自在で接続される、複数種類の電源、具体的には例えば充電式バッテリ８４及びＡＣ電源アダプタ８５とから電源供給手段が構成される。
【００６４】
内視鏡本体８２は図１の内視鏡本体２において、内視鏡本体２に着脱自在のライトガイドケーブル６を一体化したものと類似している。つまり、この内視鏡本体８２の操作部８からライトガイドケーブル８６が延出され、このライトガイドケーブル８６の末端にはランプユニット８３に着脱自在で接続されるライトガイドコネクタ８７が設けてある。このライトガイドケーブル８６の内部には照明光を導光するライトガイドファイバ８８が挿通され、その後端、つまり光入射端部はライトガイドコネクタ８７に至る。
【００６５】
この内視鏡本体８２は第１の実施の形態と同様に細長の挿入部７と、この挿入部７の後端に形成された操作部８と、この操作部８の後端に形成された接眼部９を有する。
また、挿入部７は、その先端に形成された先端部１２と、その後端に形成された湾曲部１３と、その後端に形成された可撓部１４とからなる。その他、図１の内視鏡本体２で説明した同じ部材には同じ符号を付けてその説明を省略する。
【００６６】
図１０に示すようにライトガイドコネクタ８７をランプユニット８３に接続することにより、ランプユニット８３内部のランプ８９を発光させた場合には、このランプ８９からの照明光がライトガイドコネクタ８７の光入射端面に供給され、供給された照明光はライトガイドファイバ８８により導光され、先端部１２の照明窓に固定された光出射端面から前方に出射され、患部などの被写体を照明する。
【００６７】
上記ランプユニット８３には、ランプ８９と給電線を介して接続された電源接続部となるコンセント部９１が設けてあり、このコンセント部９１には充電式バッテリ８４のプラグ９２或いはＡＣ電源アダプタ８５のプラグ９３を着脱自在で接続することができる。
【００６８】
充電式バッテリ８４は内部に充電可能な二次電池を内蔵し、そのプラグ９２をコンセント部９１に接続することにより、ランプ８９に電力を供給し、発光させることができる。
【００６９】
また、ＡＣ電源アダプタ８５はランプ８９に適合する電圧に変換するトランスを内蔵したＡＣ電源アダプタ本体を有し、このトランスの１次側はこのＡＣ電源アダプタ本体と一体化されたＡＣプラグ９４に接続され、このトランスの２次側は整流器で直流にされた後、接続コード９５を介してプラグ９３に接続されている。
【００７０】
そして、プラグ９３をコンセント部９１に、ＡＣプラグ９４を商用電源に接続することにより商用電源を電圧変換してランプ８９を発光させる電力を供給することができる。
【００７１】
本実施の形態では内視鏡本体８２のライトガイドケーブル８６の光入射端をランプユニット８３に着脱自在にし、かつランプユニット８３に複数種の電源として機能する充電式バッテリ８４とＡＣ電源アダプタ８５とを選択的に接続可能にして、接続された電源によりランプユニット８３に内蔵されたランプ８９を発光させて内視鏡検査を行うことができるようにしている。
【００７２】
次に本実施の形態の作用を説明する。例えば、充電式バッテリ８４のプラグ９２をランプユニット８」３のコネクタ部９１に接続することにより、ランプ８９に電力を供給して、ランプ８９を発光させ、その照明光を内視鏡本体８２のライトガイドファイバ８８に供給して内視鏡検査を行うことができる。
【００７３】
また、充電式バッテリ８４の起電力が低下、ないしは無くなった場合には、コネクタ部９１から充電式バッテリ８４のプラグ９２を引き抜いて外し、ＡＣ電源アダプタ８５のプラグ９３をコネクタ部９１に接続することにより、簡単かつ短時間に商用電源を用いてランプ８９を発光させることができる。
このため、内視鏡検査を中断することなく、続行することができる。
【００７４】
本実施の形態によれば、以下の効果がある。
充電式バッテリ８４等のバッテリによるランプを発光させるバッテリ光源式の内視鏡において、バッテリの電気がなくなった場合に、他の電源を使用できるので、検査を中断することなく、内視鏡検査を続行することが可能になる。
【００７５】
また、第１の実施の形態の効果に加え、ランプユニット８３を内視鏡本体８２とは別体に設けたため、大光量の大きなランプ８９を使用することができる。即ち、より明るい照明が可能になる。
【００７６】
なお、図１０では内視鏡本体８２はライトガイドケーブル８６と一体化されていると説明したが、図１のように別体のものであっても良い。
また、以上の実施の形態は観察光学系にイメージガイドファイバを使用した光学式の内視鏡本体のもので説明したが、本発明はこれに限定されるものでなく、ＣＣＤ（電荷結合素子）等の固体撮像素子を用いたビデオ内視鏡或いは電子内視鏡の場合にも適用できる。
【００７７】
なお、例えば図１０において、ランプ８９は商用電源のＡＣコンセントから供給されるＡＣ電源で直接発光できる電圧のもの（例えば定格電圧がＡＣ１００Ｖ用のもの）でも良い。この場合には、充電式バッテリで駆動する場合には、多数の充電式バッテリユニットを積層などしたもので構成しても良い。
【００７８】
また、充電式バッテリ等によりＤＣ−ＤＣコンバータ或いはＤＣ−ＡＣコンバータを介して電源電圧を上げてランプを駆動するようにしても良い。
また、定格電圧などが異なるランプ等を交換して装着することにより、使用する検査部位などに応じて照明光量などを変更できるようにしても良い。これに応じて出力電圧が異なるバッテリユニット等の電源で供給できるように変更しても良い。
また、上述した各実施の形態等を部分的に組み合わせる等して構成した実施の形態等も本発明に属する。
【００７９】
［付記］
１．照明光を導光するライトガイドファイバを有する内視鏡において、
前記ライトガイドファイバの光入射端部に照明ランプユニットを着脱自在に接続し、複数の電源を選択可能とすると共に、前記照明ランプユニットに前記電源が接続可能な電源供給手段を設けたことを特徴とする内視鏡。
【００８０】
２．照明光を導光するライトガイドファイバを有する内視鏡において、
前記内視鏡の操作部に設けたライトガイドファイバ入射端部に照明ランプを収納した照明ランプユニットを、操作部に一体的に着脱自在に設け、前記照明ランプユニットに接続可能な電源供給手段を設けたことを特徴とする内視鏡。
【００８１】
３．上記電源供給手段はバッテリである付記１又は２記載の内視鏡。
４．上記バッテリは乾電池である付記３記載の内視鏡。
５．上記バッテリは充電式である付記３記載の内視鏡。
６．上記電源供給手段は、既設のＡＣ電源である付記１又は２記載の内視鏡。
【００８２】
【発明の効果】
以上説明したように本発明によれば、内視鏡検査を行う環境などに応じて電源を選択使用できると共に、バッテリを用いて検査中にその起電力が低下した場合にも、別の電源に交換して接続することにより、直ちに内視鏡検査を再開することができる。
【図面の簡単な説明】
【図１】本発明の第１の実施の形態の内視鏡の主要な構成を示す斜視図。
【図２】種々の電源供給手段で使用可能な第１の実施の形態の内視鏡の全体構成を示す斜視図。
【図３】図１のバッテリ型光源の構造を示す断面図。
【図４】図３のバッテリ型光源におけるランプユニットに着脱自在のランプホルダの機能を断面で示す説明図。
【図５】ランプホルダの機能を示すための展開図。
【図６】防水アダプタを装着することによって、ランプユニットは消毒等が可能な防水構造であることを示す説明図。
【図７】本発明の第２の実施の形態におけるランプユニットに非充電式バッテリユニットを装着したバッテリ型光源の構造を示す断面図。
【図８】ランプホルダの構造を示す断面図。
【図９】バッテリ型光源の外観を示す斜視図。
【図１０】本発明の第３の実施の形態の内視鏡の構成を示す図。
【符号の説明】
１…内視鏡
２…内視鏡本体
３…ランプユニット
４…非充電式バッテリユニット
５…バッテリ型光源
６…ライトガイドケーブル
７…挿入部
１０…ライトガイド口金
１１…接続口金
２３…ライトガイドコネクタ
２４…ランプホルダ
２５…収納部
２６、２９…充電式バッテリユニット
２７…プラグユニット
３１…ＡＣアダプタユニット
３４…自動車電源用アダプタユニット
３８、４６…コイルバネ
４１…ランプ
４２…ランプ固定具
４３…接点金具
４５…接点ピン
４７…コンセント
４８…乾電池
５０…プラグ
【図１】
0003776498.tif 000002
【図２】
0003776498.tif 000003
【図３】
0003776498.tif 000004
【図４】
0003776498.tif 000005
【図５】
0003776498.tif 000006
【図６】
0003776498.tif 000007
【図７】
0003776498.tif 000008
【図８】
0003776498.tif 000009
【図９】
0003776498.tif 000010
【図１０】
0003776498.tif 000011